(57)【要約】      （修正有）【課題】搬送先においてコンテナを搬送元に送り返す際に、下金枠から分割板や側板の取り外しが容易で、かつ、取り外した側板や分割板を仕舞い込んだ形態を、コンテナ高さが輸送時の半分以下で安定した形態とすることができ、輸送効率を上げることができる組み立て式コンテナを提供する。【解決手段】パレット１０上の下金枠２０の内側の四方に立設される前側板３０と右側板５０と左側板６０と後側板４０と、被収容物の前後方向の複数箇所に複数の分割板を積み上げてなり、被収容物を支持する支持板と、下金枠２０に被さる上蓋１００と、を備える。対向一対の側板が下部連結手段により下金枠に連結され、かつ、四つの側板が隣り合う側板の上部同士が上部連結手段により連結され、下金枠内の空間が、四つの側板と複数の支持板を重ねて収容する容積を有し、下金枠内の空間に四つの側板と複数の支持板を重ねた状態で上蓋が下金枠に被される。【選択図】図１
0003210364.tif 000002
【実用新案登録請求の範囲】
【請求項１】
パレットと、
前後に対向する一対の第１の連結金枠および左右に対向する一対の第２の連結金枠を有し、矩形状に前記パレットの上面に設けられた下金枠と、
前記一対の第１の連結金枠の内側に接して立設される前側板および後側板と、
前記一対の第２の連結金枠の内側に接して立設される右側板および左側板と、
前記前側板と前記右側板と前記左側板と前記後側板により形成される被収容物収容空間に収容される被収容物を前後方向の複数箇所で支持する複数の支持板と、
前記四つの側板に被さり前記被収容物収容空間を閉じる上蓋と、を備え、
各前記支持板が、前記被収容物を抱持する凹部を有し、上下方向に分割された複数の分割板を積み上げられて構成され、
前記四つの側板のうちの少なくとも対向一対の側板がそれぞれ下部連結手段により下金枠に連結され、かつ、前記四つの側板が隣り合う側板の上部同士を上部連結手段により連結され、
四つのコーナー金具の上端面までの前記下金枠内の空間が、前記四つの側板と複数の前記支持板を重ねて収容する容積を有し、前記下金枠内の空間に前記四つの側板と複数の前記支持板を重ねた状態で前記上蓋が前記下金枠に被されることを特徴とする組み立て式コンテナ。
【請求項２】
前記第１および第２の連結金枠の内面の所要高さ位置に段差面を有し、前記段差面に前記前側板と前記右側板と前記左側板と前記後側板が立設され、
前記下金枠内の前記段差面より下側の空間に、取り外された前記分割板を収容するとともに、前記下金枠内の前記段差面より上側の空間に、前記四つの側板を収容するように構成されている請求項１に記載の組み立て式コンテナ。
【請求項３】
前記前側板および前記後側板はそれぞれ、下側部材と、上側部材と、前記下側部材と前記上側部材とを一平面に連結しかつ外面側に折れ重なるように連結する複数の蝶番と、を有する請求項１または２に記載の組み立て式コンテナ。
【請求項４】
前記四つの側板は、高さ寸法が前記下金枠の内面の対向面間の寸法の半分よりも小さい寸法とされる請求項１ないし３のいずれか一の請求項に記載の組み立て式コンテナ。
【請求項５】
枠平面が垂直面内にかつ前後方向に延在するように、両側の端部を前記前側板と前記後側板とに設けられた上下方向に延在する縦溝を有する一対の第１のガイドに支持され、被収容物収容空間を前後方向に長い右側空間と左側空間とに仕切る中仕切り枠を、さらに備え、
各前記分割板は、両側の端部を前記右側板と前記左側板に設けられた上下方向に延在する縦溝を有する第２のガイドと、前記中仕切り枠に設けられた上下方向に延在する縦溝を有する第３のガイドとに支持される請求項１ないし４のいずれか一の請求項に記載の組み立て式コンテナ。
【考案の詳細な説明】
【技術分野】
【０００１】
本考案は、組み立て式コンテナに関する。
【背景技術】
【０００２】
従来より、フォークリフトにより抱持されるパレットの上面に下金枠を固定し、下金枠の内側に四つの側板を立設して内部収容空間を形成する組み立て式コンテナが開示されている（例えば、特許文献１参照）。
【０００３】
特許文献１に開示された組み立て式コンテナは、ロッド輸送用コンテナであり、パレットと、パレット上の四隅位置に立設される下金具と、下金具間を連結している帯状金具と、パレット上に載置される底板と、下金具のコーナー金具の垂直溝にスライド式に差し込まれかつ回動用突起で回動可能に連結され内倒れ可能に立設され対向一対の第１側板と、両端が第１側板の内面側両端部に備えられたスライド溝にスライド式に差し込まれ立ち上がる対向一対の第２側板と、第２側板の上端に設けられ第１側板と第２側板とを連結する回動自在な取付金具と、一対の第１側板および一対の第２側板により囲まれる内部空間を閉じる蓋と、第１側板の内壁面に備えられた案内金具にスライド式に差し込まれ両端を支持され、被収容物であるロッドを保持する保持溝を有する第１―第４の仕切板と、を備えている。
【０００４】
このロッド輸送用コンテナは、搬送先で、被収容物であるロッドを取り出し、仕切板を全て取り外してから、第１および第２側板をパレット上で分解して折り畳むことにより、コンテナの嵩を小さくして輸送元へ送り返すことができる。
【先行技術文献】
【特許文献】
【０００５】
【特許文献１】特許第３７９６３４５号公報
【考案の概要】
【考案が解決しようとする課題】
【０００６】
しかしながら、特許文献１のロッド輸送用コンテナを含む従来の組み立て式コンテナにあっては、被収容物を取り出した後に、取り外した蓋、一対の第２側板および第１−第４の仕切板を形成する複数の分割板を内部に仕舞い込むことについて考慮されていないという問題があった。
【０００７】
本考案は、上述した問題点を解決するために案出されたもので、被収容物をコンテナから取り出した後、下金枠から分割板や側板の取り外しが容易で、かつ、取り外した側板や分割板を内部に仕舞い込むことが可能で、コンテナ高さが輸送時の半分以下で安定した形態とすることができ、輸送効率を上げることができる組み立て式コンテナを提供することを目的としている。
【課題を解決するための手段】
【０００８】
本考案の組み立て式コンテナは、上述した問題点を解決するため、パレットと、前後に対向する一対の第１の連結金枠および左右に対向する一対の第２の連結金枠を有し、矩形状に前記パレットの上面に設けられた下金枠と、前記一対の第１の連結金枠の内側に接して立設される前側板および後側板と、前記一対の第２の連結金枠の内側に接して立設される右側板および左側板と、前記前側板と前記右側板と前記左側板と前記後側板により形成される被収容物収容空間に収容される被収容物を前後方向の複数箇所で支持する複数の支持板と、前記四つの側板に被さり前記被収容物収容空間を閉じる上蓋と、を備え、各前記支持板が、前記被収容物を抱持する凹部を有し、上下方向に分割された複数の分割板を積み上げられて構成され、前記四つの側板のうちの少なくとも対向一対の側板がそれぞれ下部連結手段により下金枠に連結され、かつ、前記四つの側板が隣り合う側板の上部同士を上部連結手段により連結され、四つのコーナー金具の上端面までの前記下金枠内の空間が、前記四つの側板と複数の前記支持板を重ねて収容する容積を有し、前記下金枠内の空間に前記四つの側板と複数の前記支持板を重ねた状態で前記上蓋が前記下金枠に被される構成である。
【０００９】
この構成によれば、下金枠内の空間の深さを適切に設定することで、分割板および四つの側板を取り外し、これらを下金枠内に水平に収容することができ、上蓋を被せたときの全高さを側板の下金枠から上に出ている部分の高さだけ低くすることができる。したがって、被収容物をコンテナから取り出した後、下金枠から分割板や側板の取り外しが容易で、かつ、取り外した側板や分割板を内部に仕舞い込むことが可能で、コンテナ高さが輸送時の半分以下で安定した形態とすることができ、輸送効率を上げることができる。
【００１０】
本考案の組み立て式コンテナは、前記第１および第２の連結金枠の内面の所要高さ位置に段差面を有し、前記段差面に前記前側板と前記右側板と前記左側板と前記後側板が立設され、前記下金枠内の前記段差面より下側の空間に、取り外された前記分割板を収容するとともに、前記下金枠内の前記段差面より上側の空間に、前記四つの側板を収容するように構成することができる。
【００１１】
この構成によれば、下金枠内の段差面より下側の空間に、強度が弱い分割板を収容することができるとともに、下金枠内の段差面より上側の空間に、段差面を利用して四つの側板を水平にかつ二段重ねた状態に収容することができる。
【００１２】
また、この構成によれば、四つの側板の高さ寸法が下金枠の内面の対向面間の寸法の半分よりも小さい寸法であることが、四つの側板が下金枠内に収容される条件であるので、下金枠の内面に設けられた段差面の上に四つの側板が載置される構成であるから、四つの側板の上端の高さを、四つの側板を下金枠の底面部上に立設した構成とした場合に比べ、下金枠の底面部から段差面までの高さ分だけ高くなり、被収容物収容空間を大きくすることができる。
【００１３】
本考案の組み立て式コンテナは、前記前側板および前記後側板はそれぞれ、下側部材と、上側部材と、前記下側部材と前記上側部材とを一平面に連結しかつ外面側に折れ重なるように連結する複数の蝶番と、を有する構成とすることができる。
【００１４】
この構成によれば、前側板と後側板のいずれか一方または両方の上側部材を外側に倒し、被収容物収容空間に収容される被収容物の下部を見ることができる。したがって、従来では、上蓋を外して被収容物収容空間の上方から被収容物収容空間に収容された被収容物上側部材を確認するほかはなかったという問題点を解決できる。
【００１５】
本考案の組み立て式コンテナは、前記四つの側板は、高さ寸法が前記下金枠の内面の対向面間の寸法の半分よりも小さい寸法とされる構成とすることができる。
【００１６】
この構成によれば、四つの側板の高さ寸法が下金枠の内面の対向面間の寸法の半分よりも小さい寸法であるから、下金枠内に収容される条件を満たすので、互いに対向する右側板と左側板とをそのまま倒伏した並んだ状態に収容することができ、また互いに対向する前側板と後側板についてもそのまま倒伏した並んだ状態に収容することができ、再度組み立てるときに組み立て易い状態に収容できる。なお、右側板と左側板の一対と、前側板と後側板の一対とをどちらを先に収容するかは任意である。
【００１７】
本考案の組み立て式コンテナは、枠平面が垂直面内にかつ前後方向に延在するように、両側の端部を前記前側板と前記後側板とに設けられた上下方向に延在する縦溝を有する一対の第１のガイドに支持され、被収容物収容空間を前後方向に長い右側空間と左側空間とに仕切る中仕切り枠を、さらに備え、各前記分割板は、両側の端部を前記右側板と前記左側板に設けられた上下方向に延在する縦溝を有する第２のガイドと、前記中仕切り枠に設けられた上下方向に延在する縦溝を有する第３のガイドとに支持される構成とすることができる。
【００１８】
この構成によれば、分割板は、第１，第２，第３のガイドを案内手段兼支持手段として積み重ね、取り外しを順次に行うことができる。また、中仕切り枠を備えたことで、中仕切り枠がない場合に比べ、分割板の長さが半分になるので、強度が小さく折れやすい分割板の折損強度を相対的に大きくすることができる。なお、中仕切り枠についても、下金枠の段差面より下側の空間に収容できる。
【考案の効果】
【００１９】
本考案によれば、被収容物をコンテナから取り出した後、下金枠から分割板や側板の取り外しが容易で、かつ、取り外した側板や分割板を内部に仕舞い込むことが可能で、コンテナ高さが輸送時の半分以下で安定した形態とすることができ、輸送効率を上げることができる組み立て式コンテナを提供することができる。
【図面の簡単な説明】
【００２０】
【図１】本考案の一実施の形態に係る組み立て式コンテナであって、右斜め上方から見た分解斜視図である。
【図２】本考案の一実施の形態に係る組み立て式コンテナであって、被収容物を支持する中仕切り板および支持板のコンテナ内での組立状態を示す右斜め上方から見た斜視図である。
【図３】本考案の一実施の形態に係る組み立て式コンテナの正面図である。
【図４】図３におけるＩＶ−ＩＶ矢視に沿った断面図である。
【図５】図３におけるＶ−Ｖ矢視に沿った断面図である。
【図６】本考案の一実施の形態に係る組み立て式コンテナであって、被収容物を収納して組立完了した状態を示す斜視図である。
【図７】本考案の一実施の形態に係る組み立て式コンテナであって、上蓋を外し内部の収容状態を示す斜視図である。
【図８】本考案の一実施の形態に係る組み立て式コンテナであって、図７に示す状態から、前側板と後側版を二つ折りとし、内部の被収容物と支持板を構成する分割板を全て取り外した状態を示す斜視図である。
【図９】本考案の一実施の形態に係る組み立て式コンテナであって、図８に示す状態から、さらに右側板と左側版と中仕切り板を取り外し、取り外し作業が完了した状態を示す斜視図である。
【図１０】本考案の一実施の形態に係る組み立て式コンテナであって、図９に示す状態から、支持板を構成する全ての分割板を積層しかつ敷き詰めた仕舞い込み状態を示す斜視図である。
【図１１】本考案の一実施の形態に係る組み立て式コンテナであって、図１０に示す仕舞い込み状態に対応する縦断右側面図である。
【図１２】本考案の一実施の形態に係る組み立て式コンテナであって、図１０に示す仕舞い込み状態から、さらに中仕切り板を仕舞い込んだ状態を示す斜視図である。
【図１３】本考案の一実施の形態に係る組み立て式コンテナであって、図１２に示す収納状態から、さらに前側板と後側版を一平面状態に戻して内側に倒した仕舞い込んだ状態を示す斜視図である。
【図１４】本考案の一実施の形態に係る組み立て式コンテナであって、図１３に示す収納状態から、さらに右側板と左側版を内側に倒した仕舞い込んだ状態を示す斜視図である。
【図１５】本考案の一実施の形態に係る組み立て式コンテナであって、図１４に示す仕舞い込み途中状態から、さらに上蓋を被せた仕舞い込み完了状態を示す斜視図である。
【図１６】本考案の一実施の形態に係る組み立て式コンテナであって、図１５に示す仕舞い込み完了状態に対応する縦断右側面図である。
【考案を実施するための形態】
【００２１】
本考案の組み立て式コンテナの一実施の形態について、図面を参照して説明する。
【００２２】
まず、組み立て式コンテナ１の構成について説明する。
【００２３】
図１、図３ないし図６に示すように、組み立て式コンテナ１は、フォークリフトにより抱持されるパレット１０と、底板１３と、パレット１０の上面に固定された矩形状の下金枠２０と、下金枠２０の四方の内面に接して立設され被収容物収容空間を形成する前側板３０、後側板４０、右側板５０および左側板６０と、これら四つの側板３０，４０，５０，６０に被さり被収容物収容空間を閉じる上蓋１００と、を備える。
【００２４】
さらに、図２に示すように、組み立て式コンテナ１は、被収容物収容空間を前後方向に長い右側空間と左側空間とに仕切る中仕切り枠７０と、右側空間と左側空間の前後方向の各一の支持位置で複数の分割板を積み上げることで構成され、右側空間と左側空間に収容される被収容物を複数段状に支持する複数の支持板８１，８２，８３，８４，８５，８６，８７，８８（以下、８１−８８と称する。）を備えている。
【００２５】
パレット１０は、組み立て式コンテナ１の基台であって運搬台である。パレット１０は、平面方向に見た形状が略正方形である扁平ブロック体であり、一の側面から反対側の側面を貫通するように２つのリフト用孔１１を有し、また他の一の側面から反対側の側面を貫通するように２つのリフト用孔１１を有し、フォークリフトの爪部（フォーク）が四つの側面のいずれから２つのリフト用孔１１に差し込まれるように構成されている。
【００２６】
パレット１０は、四隅に面取り状の側面部１２を有する。パレット１０は、軽量化のために、下面部および上面部の各周縁部分を除く領域が格子状に形成されてもよい。なお、パレット１０は、金属製、樹脂製、または木製のいずれであってもよい。
【００２７】
図１に示すように、下金枠２０は、矩形枠状でありパレット１０の上面に固定されている。下金枠２０は、パレット１０の上面に重ねられ固定される基板部２１と、基板部２１の上面の四隅に立設されるコーナー金具２２と、基板部２１の上面の前縁部と後縁部において両側のコーナー金具２２と一体に連結された対向一対の第１の連結金枠２３と、基板部２１の上面の右縁部と左縁部において両側のコーナー金具２２と一体に連結された対向一対の第２の連結金枠２４と、を有する。下金枠２０は、ステンレス鋼製、鋼製またはアルミニウム製等により構成される。
【００２８】
基板部２１は、パレット１０よりも大きく形成され、周縁部がパレット１０より庇状に張り出してパレット１０の上面に重ねられ固定されている。基板部２１は、第１，第２の連結金枠２３，２４に囲まれる領域が大きな格子状に開孔されている。
【００２９】
コーナー金具２２は、基板部２１の四隅に立設されている。前側の左右一対のコーナー金具２２は、左右対称形状に設けられていて、後述する前側板３０が内側に倒伏自在となるように前側板３０の左右下端を回動可能に支持するようになっている。後側の左右一対のコーナー金具２２は、後側の左右一対のコーナー金具２２に対して前後対称形状に設けられていて、後述する後側板４０が内側に倒伏自在となるように後側板４０の左右下端を回動可能に支持するようになっている。
【００３０】
一対の第１の連結金枠２３は、内面側の所要高さに前側板３０または後側板４０を載置する段差面２３ｃを備えている。また、一対の第２の連結金枠２４は、内面側の所要高さに右側板５０または左側板６０を載置する段差面２４ｃを備えている。段差面２３ｃと段差面２４ｃは同一高さに設けられている。
【００３１】
第１，第２の連結金枠２３，２４の段差面２３ｃ，２４ｃよりそれぞれ上側に立ち上がる上側部分２３ｂ，２４ｂは、段差面２３ｃ，２４ｃの上に建て付けられる四つの側板３０，４０，５０，６０の下辺部の外面に当接し外側への広がりを防ぐ外抑え機能を有する。第１の連結金枠２３の上側部分２３ｂは丈が短く、第２の連結金枠２４の上側部分２４ｂは、コーナー金具２２と同一高さに延在している。第２の連結金枠２４とコーナー金具２２は、四つの側板３０，４０，５０，６０等の仕舞い込み時に上蓋１００が被さるための支持部となっている。
【００３２】
各第１の連結金枠２３の下側部分２３ａは、内面の長さ方向中央に上下方向に延びる内面側に開いた縦溝を有するリブ状の縦ガイド２３ｄを有する。
【００３３】
また、各第２の連結金枠２４の下側部分２４ａは、内面の長さ方向の所要の四カ所に上下方向に延びる内面側に開いた縦溝を有するリブ状の縦ガイド２４ｄを有する。
【００３４】
下金枠２０の内側空間は、被収容物収容空間の一部を構成している。第１，第２の連結金枠２３，２４の段差面２３ｃ，２４ｃよりそれぞれ下側の下側部分２３ａ，２４ａで囲まれる空間は、中仕切り枠７０と、複数の支持板８１−８８をそれぞれ構成する複数の分割板のための仕舞い込み収容空間となっている。このため、下側部分２３ａ，２４ａの丈は、分割板を敷き詰めてかつ重ねた状態に収容し、その上に、中仕切り枠７０を置いた状態で、中仕切り枠７０の上面が、段差面２３ｃ，２４ｃよりも下側位置となるように設定されている。
【００３５】
第１，第２の連結金枠２３，２４の段差面２３ｃ，２４ｃよりそれぞれ上側の上側部分２３ｂ，２４ｂとコーナー金具２２とで囲まれる空間は、四つの側板３０，４０，５０，６０のための仕舞い込み収容空間となっている。このため、上側部分２４ｂの丈は、前側板３０と後側板４０を内側に倒れるようにして水平に並べて収容し、その上に重なるように、右側板５０と左側板６０を内側に倒れるようにして水平に並べて収容したときに、右側板５０と左側板６０の上面よりも高くなるように設定されている。
【００３６】
底板１３は、基板部２１の上に載置され、基板部２１の格子状の開口を閉塞して被収容物収容空間の底面を規定している。底板１３は、四つの辺部に縦ガイド２３ｄ，２４ｄとの干渉を避けて落とし込まれるための切り欠き１３ａを有している。底板１３は、段ボールプラスチック製である。底板１３は、組み立て式コンテナ１の折り畳み時においてもそのままの状態とされる。
【００３７】
前側板３０および後側板４０はそれぞれ、下側部材３１，４１と、上側部材３２，４２と、下側部材３１，４１と上側部材３２，４２とを一平面に連結しかつ外面側に折れ重なるように連結する複数の蝶番３３，４３と、下側部材３１，４１と上側部材３２，４２の各内面の長さ方向の中央部に上下方向に延びる内面側に開いたリブ状の縦ガイド３４，３５，４４，４５を有する。なお、縦ガイド３４，３５，４４，４５は、本考案の第１のガイドを構成する。
【００３８】
前側板３０を構成している下側部材３１は、長さ方向の両端部に上下方向に延びる内面側に開いたチャンネル形ガイド３１ａを有し、各チャンネル形ガイド３１ａの外側の端面下部にピン軸３６が突設され、外面部の左右下部の端部に一対の丸落とし３７が取り付けられている。また、前側板３０を構成している上側部材３２は、長さ方向の両端部に上下方向に延びる内面側に開いたチャンネル形ガイド３２ａを有し、外面部の左右上部の端部に一対の丸落とし３８が取り付けられている。チャンネル形ガイド３１ａ，３２ａは、下側部材３１と上側部材３２とが一平面のときに一直線上に一致する。なお、ピン軸３６は、本考案の下部連結手段を構成する。なお、丸落とし３８は、本考案の上部連結手段を構成している。また、チャンネル形ガイド３１ａは、本考案の第１のガイドを構成している。
【００３９】
前側板３０と同様に、後側板４０を構成している下側部材４１は、長さ方向の両端部に上下方向に延びる内面側に開いたチャンネル形ガイド４１ａを有し、各チャンネル形ガイド４１ａの外側の端面下部にピン軸４６が突設され、外面部の左右上部の端部に一対の丸落とし４７が取り付けられている。また、後側板４０を構成している上側部材４２は、長さ方向の両端部に上下方向に延びる内面側に開いたチャンネル形ガイド４２ａを有し、外面部の左右下部の端部に一対の丸落とし４８が取り付けられている。チャンネル形ガイド４１ａ，４２ａは、下側部材４１と上側部材４２とが一平面のときに一直線上に一致する。なお、ピン軸４６は、本考案の下部連結手段を構成し、丸落とし４８は本考案の上部連結手段を構成している。
【００４０】
前側板３０は、前側の第１の連結金枠２３の段差面２３ｃの上に載置されることにより立設される。この際に、図４に示すように、前側板３０を、段差面２３ｃから若干外れる内側位置で、かつ、コーナー金具２２の上方近傍に位置されると、前側板３０の両端下部のピン軸３６が、コーナー金具２２の上方から、コーナー金具２２に設けられた外側に突出する凸条部２２ａの内側の縦溝２２ｃに対応するようになっている。各ピン軸３６は、前側板３０が段差面２３ｃに載置される高さに近い高さまで下降されると、コーナー金具２２の縦溝２２ｃに入り、縦溝正面の傾斜面に案内されて横スライドし、コーナー金具２２に設けられた開孔２２ｂに位置するようになっており、垂直上方への若干持ち上がり可能になっている。これにより、前側板３０は、段差面２３ｃに載置され、また折り畳み時には、両側のピン軸３６を回転中心として内側に倒れることができるようになっている。
【００４１】
同様に、後側板４０は、後側の第１の連結金枠２３の段差面２３ｃの上に載置されることにより立設される。この際に、後側板４０を、段差面２３ｃから若干外れる内側位置で、かつ、コーナー金具２２の上方近傍に位置されると、後側板４０の両端下部のピン軸４６が、コーナー金具２２の上方から縦溝２２ｃに対応するようになっている。各ピン軸４６は、後側板４０が下降されると、縦溝２２ｃに入り、縦溝正面の傾斜面に案内されて横スライドし、コーナー金具２２に設けられた開孔２２ｂに位置するようになっており、垂直上方への若干持ち上がり可能になっている。これにより、後側板４０は、段差面２３ｃに載置され、また折り畳み時には、両側のピン軸３６を回転中心として内側に倒れることができるようになっている。
【００４２】
したがって、前側板３０と後側板４０は、下金枠２０に建て付けられると、垂直上方に持ち上げられる外力が作用しても下金枠２０と分離しないようになっている。
【００４３】
右側板５０と左側板６０は、前側板３０と後側板４０が立設された後に、前側板３０と後側板４０に両端支持されるように立設される。
【００４４】
図４に示すように、右側板５０は、第２の連結金枠２４の段差面２４ｃの上に載置されるが、右側板５０の前端部は、前側板３０の右端部に上下方向に延びる内面側に開いた縦溝を有するチャンネル形ガイド３１ａに嵌合されている。すなわち、右側板５０の下端を先に立設された前側板３０の上端よりも上位置として、右側板５０が下降されることにより、右側板５０の前端部が前側板３０のリブ状のチャンネル形ガイド３１ａに挿し込まれている。この嵌合構造は、右側板５０の後端部と後側板４０の右端部に設けられたチャンネル形ガイド３１ａとの関係についても同様である。さらに、左側板６０の前端部と後側板４０の左端部に設けられたチャンネル形ガイド４１ａとの関係、並びに、左側板６０の後端部と後側板４０の左端部に設けられたチャンネル形ガイド４１ａとの関係についても同様である。
【００４５】
ここで、上述した丸落とし３７，３８，４７，４８について説明する。左右一対の丸落とし３７は、前側板３０の下側部材３１の左右のチャンネル形ガイド３１ａに右側板５０の前端部および左側板６０の前端部が嵌合されたときに、ロック軸を移動されることにより、ロック軸の先端を右側板５０または左側板６０に設けられた図示しないドリル孔に挿し込まれることで、下側部材３１と右側板５０との連結および下側部材３１と左側板６０との連結を行うようになっている。後側板４０の下側部材４１に設けられた丸落とし４７は、前側板３０の下側部材３１に設けられた丸落とし３７と同一の機能を有し、下側部材４１と右側板５０，左側板６０との連結を行うようになっている。
【００４６】
同様に、左右一対の丸落とし３８は、前側板３０の上側部材３２の左右のチャンネル形ガイド３２ａに右側板５０の前端部および左側板６０の前端部が嵌合されたときに、ロック軸を移動されることにより、ロック軸の先端を右側板５０または左側板６０に設けられた図示しないドリル孔に挿し込まれることで、下側部材３１と右側板５０との連結および下側部材３１と左側板６０との連結を行うようになっている。また、後側板４０の上側部材４２に設けられた丸落とし４８は、前側板３０の上側部材３２に設けられた丸落とし３８と同一の機能を有し、上側部材３２と右側板５０，左側板６０との連結を行うようになっている。
【００４７】
したがって、右側板５０と左側板６０が、前側板３０と後側板４０に両端支持されるように立設され、丸落とし３７，３８，４７，４８によるロックが行われると、四つの側板３０，４０，５０，６０は、一体的な四面剛構造になり、下金枠２０に分離不能に支持される。四つの側板３０，４０，５０，６０は、高さ寸法が下金枠２０の内面の対向面間の寸法の半分よりも小さい寸法とされている。
【００４８】
ここで、四つの側板の高さ寸法が下金枠の内面の対向面間の寸法の半分よりも小さい寸法に設定されている理由は、前側板３０と後側板４０とを横並びに敷き詰めたときの大きさと、右側板５０と左側板６０とを横並びに敷き詰めたときの大きさが、下金枠２０の開口よりも小さくなるからである。すなわち、前側板３０と後側板４０とを下金枠２０に組み付けたまま、両側のピン軸３６，４６を回転中心として内側に倒して水平状態で横並びに収容できるとともに、前側板３０と後側板４０とを内側に倒す前に取り外した前側板３０と後側板４０とを、それぞれ前倒しにして水平状態で横並びに収容できるからである。
【００４９】
右側板５０と左側板６０はそれぞれ、内面の前後方向の複数箇所、本実施の形態では四か所に、上下方向に延在する縦溝を有するリブ状の縦ガイド５１，６１を有する。縦ガイド５１，６１は、本考案の第２のガイドを構成する。
【００５０】
中仕切り枠７０は、前後方向に長い矩形の枠部７１と、枠部７１の上下の長辺部同士を繋ぐように設けられた複数の桟部７２と、枠部７１の上下の長辺部に両端を支持され上下方向に延在する縦溝を有する縦ガイド７３と、を有する。中仕切り枠７０は、ステンレス鋼製、鋼製、あるいはアルミニウム製である。なお、縦ガイド７３は、本考案の第３のガイドを構成している。
【００５１】
中仕切り枠７０は、両側の端部を前側板３０と後側板４０とに設けられた上下方向に延在する縦溝を有する一対の縦ガイド３４，３５，４４，４５に支持され、もって、枠平面が垂直面内にかつ前後方向に延在するように、被収容物収容空間を前後方向に長い右側空間と左側空間とに仕切るようになっている。
【００５２】
中仕切り枠７０によって仕切られる右側空間および左側空間のそれぞれには、前後方向の複数箇所、実施の形態では四カ所に、支持板８１−８８が設けられる。
【００５３】
支持板８１−８８は、前側板３０と右側板５０と左側板６０と後側板４０により形成される被収容物収容空間に収容される被収容物を前後方向の複数箇所で支持するようになっている。各支持板８１−８８は、被収容物を抱持する凹部を有し、上下方向に分割された複数の分割板を積み上げられて構成されている。
【００５４】
分割板は、上下の端面（積み重ね面）に凹部を有する。被収容物に対して下側に位置する分割板の凹部と上側に位置する分割板の凹部とで、被収容物を貫通状態に抱持する。
【００５５】
分割板の凹部は、被収容物の当該支持位置に置ける断面形状に対応した大きさ、形状の貫通孔を形成する。支持板８１−８８を構成する分割板の積み重ね数や高さ寸法は、被収容物に対応して設計されて備えられる。
【００５６】
支持板８１−８８は、被収容物に対して緩衝機能を有して支持するため、変形と折損が起きにくく、凹部を形成しやすく肉厚で軽量安価な材料、例えば、発泡ポリプロピレン製の成形体が用いられている。
【００５７】
図１に示すように、上蓋１００は、被収容物収容空間の上部を閉じるように設けられる。本実施の形態では、上蓋１００は、鋼板製で、略正方形の天面部１０１と、天面部１０１の四辺から垂下する角筒部１０２と、天面部１０１の上面の四隅に突設された短三角柱状のコーナー突起１０３を有し、菓子箱の蓋形状に形成されていて、四つの側板３０，４０，５０，６０が組み立てられた後に被され、被収容物収容空間を閉じるようになっている。四つのコーナー突起１０３は、複数個のコンテナが積み重ねられるときに、下側のコンテナに備えられる四つのコーナー突起１０３が、前記下側のコンテナに重なる上側のコンテナのパレットの四隅に備えられる側面部１２の外側に近接して、上下のコンテナの位置ずれを防いで、積崩れを防止する機能を有する。
【００５８】
図１５に示すように、上蓋１００は、支持板８１−８８、中仕切り枠７０、四つの側板３０，４０，５０，６０を取り外し、これらを下金枠２０の空間に収容した後に、下金枠２０の四つのコーナー金具２２および一対の第２の連結金枠２４に被される。
【００５９】
図６、図１５に示すように、組み立て式コンテナ１は、四つの側板３０，４０，５０，６０の上端面に載置される上蓋１００を、四つの側板３０，４０，５０，６０の上端面から外れないように固定するため、並びに、仕舞い込み状態において浮き上がらないように固定するためのゴム掛け式係合機構１１０が設けられている。
【００６０】
ゴム掛け式係合機構１１０は、上蓋１００の角筒部１０２の前部と後部の各外側面に沿って、両端を角筒部１０２に備える係止部１１１に係止されたゴムバンド１１２と、基端に形成されたリング部に該ゴムバンド１１２が通され先端にはフック部が形成されたフック付係合金具１１３と、前側板３０および後側板４０の上部の中央位置に設けられた第１の固定側係合金具１１４と、下金枠２０の前後一対の第１の連結金枠２３の外面部の中央位置に設けられた第２の固定側係合金具１１５と、を有している。ゴムバンド１１２は、例えば枠辺の半分の長さを有し、耐久性および所要引張強度を有する。
【００６１】
ゴム掛け式係合機構１１０は、下金枠２０に建て付けられた四つの側板３０，４０，５０，６０の上端面に上蓋１００が載置された状態で、前側および後側において、フック付係合金具１１３を把持して引張り、フック部を第１の固定側係合金具１１４に掛止することにより、四つの側板３０，４０，５０，６０の上端面に載置される上蓋１００を、四つの側板３０，４０，５０，６０から位置ずれしないように固定することができる。
【００６２】
また、ゴム掛け式係合機構１１０は、四つの側板３０，４０，５０，６０を取り外し、下金枠２０内に収容し、上蓋１００を段差面２３ｃ，２４ｃに載置した状態で、前側および後側において、フック付係合金具１１３を把持して引張り、フック部を第２の固定側係合金具１１５に掛止することにより、四つの側板３０，４０，５０，６０の上端面に載置される上蓋１００を、浮き上がらないように固定することができる。
【００６３】
続いて、組み立て式コンテナ１の組み立て手順について説明する。
【００６４】
組み立て式コンテナ１の組み立ては、被収容物を収容するストックヤード等で行い、まず、下金枠２０の前側の第１の連結金枠２３の段差面２３ｃ上に前側板３０を建て付けるとともに、後側の第１の連結金枠２３の段差面２３ｃ上に後側板４０を建て付ける。このとき、前後の第１の連結金枠２３は、それぞれ左右一対のピン軸３６，４６がコーナー金具２２の開孔２２ｂに係合し、下金枠２０と結合される。
【００６５】
次いで、右側板５０および左側板６０の各両端を、前側板３０および後側板４０の左右の各チャンネル形ガイド３１ａ，４１ａに挿し込むようにして、右側板５０および左側板６０を左右の第２の連結金枠２４の段差面２４ｃ上に建て付け、前側の左右の丸落とし３７および後側の左右の丸落とし４７をロック操作して、下側部材３１，４１と右側板５０および左側板６０を一体に連結し、その後に、前側板３０の上側部材３２および後側板４０の上側部材４２をそれぞれ外側に二つ折りにする。
【００６６】
次いで、中仕切り枠７０の前端部と後端部を前側の下側部材３１と後側の下側部材４１のそれぞれの内面部に備えた縦ガイド３４，４４に挿し込み、さらに前後の第１の連結金枠２３の内面に備えた縦ガイド２３ｄに挿し込み、これにより、中仕切り枠７０を建て付ける。
【００６７】
続いて、分割板を縦ガイド５１または６１と、中仕切り枠７０に設けられた縦ガイド７３とに両端支持されるように積み上げつつ、上下の分割板の凹部で被包装物を抱持し、支持板８１−８８を構成するように積み上げていく。この場合、上側部材３２，４２が倒れて、下側部材３１，４１の上端が低いので、支持板８１−８８の下層部の積み重ねと被包装物の抱持作業を行い易い。
【００６８】
分割板の積み上げ高さが下側部材３１，４１の高さまで到達したら、上側部材３２，４２を立ち上げる。これにより、上側部材３２，４２の内面に備える縦ガイド３１ｂ，４１ｂを中仕切り枠７０に嵌合させるとともに、チャンネル形ガイド３２ａ，４２ａを右側板５０と左側板６０の端部に被嵌させ、丸落とし３８，４８をロック操作し、上側部材３２，４２と、右側板５０または左側板６０とを連結する。
【００６９】
引き続いて、分割板を積み上げつつ被包装物を分割板の凹部で抱持し、支持板８１−８８を構成する。最後に、上蓋１００を被せ、ゴム掛け式係合機構１１０のゴムバンド１１２に付設されたフック付係合金具１１３を第１の固定側係合金具１１４に掛止すると、被収容物を収容した状態に組立完了する（図６参照）。
【００７０】
なお、組立完了後に、下側に収容された被収容物を確認したときは、前側および後側の各左右一対の丸落とし３８，４８のロックを解除すれば、前側板３０および後側板４０の上側部材３２，４２を外側に倒すことができ、下側に収容された被収容物を確認することができる。
【００７１】
続いて、組み立て式コンテナ１の折り畳み、仕舞い込み手順について、図６ないし図１６を参照して説明する。
【００７２】
組み立て式コンテナ１の折り畳み、仕舞い込みは、例えば、当該組み立て式コンテナ１の配送先で行われる。
【００７３】
まず、上蓋１００を取り外し、四つの側板３０，４０，５０，６０で囲まれた被収容物収容空間の上半に収容された被包装物および被包装物を抱持する複数の分割板を、上から順次に取り外す。
【００７４】
次いで、前側および後側の各左右一対の丸落とし３８，４８のロックを解除し、上側部材３２，４２を外側に倒す。これにより、下側部材３１，４１の上側を通して被収容物収容空間の下半に収容された分割板と被包装物の取り出しを行うことができる。
【００７５】
次いで、中仕切り枠７０を持ち上げて取り外し、前側および後側の各左右一対の丸落とし３７，４７のロックを解除し、右側板５０および左側板６０を持ち上げて取り外す。以上で、取り外しがすべて完了する。
【００７６】
続いて、全ての分割板を下金枠２０の第１，第２の連結金枠２３，２４内の下側部分２３ａ，２４ａ内に敷き詰めたかつ積層した状態に収容し、次いで、図１２に示すように中仕切り枠７０を水平にして分割板の上に載置する。このとき、中仕切り枠７０の上面レベルが第１，第２の連結金枠２３，２４の段差面２３ｃ，２４ｃのレベル以下になるように収まる。
【００７７】
続いて、二つ折れ状態の前側板３０および後側板４０の上側部材３２，４２をそれぞれ垂直に立ててから、内倒れとなるように倒伏する。このとき、前側板３０および後側板４０は、下側部材３１，４１の両端に備えているピン軸３６，４６に両端支持され、かつ、ピン軸３６，４６を回転中心として回動する。前側板３０および後側板４０は、段差面２３ｃ，２４ｃおよび第２の連結金枠２４の下側部分２４ａの内面に設けられた縦ガイド２４ｄに受承される。なお、受け台を下側部分２４ａの内面に設けてもよい。
【００７８】
続いて、右側板５０と左側板６０が、それぞれの取付位置から内倒れとなって水平になるように前側板３０および後側板４０の上に載置される。これにより、前側板３０および後側板４０は、上面レベルがコーナー金具２２の上端よりも低くなるように下金枠２０ないに収容される。
【００７９】
最後に、上蓋１００を被せ、ゴム掛け式係合機構１１０のゴムバンド１１２に付設されたフック付係合金具１１３を第２の固定側係合金具１１５に掛止すると、コンテナを送り返せる減容した状態になり、折り畳み、仕舞い込みが完了する。
【００８０】
以上説明したように、本実施の形態によれば、パレット１０と、前後に対向する一対の第１の連結金枠２３および左右に対向する一対の第２の連結金枠２４を有し、矩形状にパレット１０の上面に設けられた下金枠２０と、一対の第１の連結金枠２３の内側に接して立設される前側板３０および後側板４０と、一対の第２の連結金枠２４の内側に接して立設される右側板５０および左側板６０と、前側板３０と右側板５０と左側板６０と後側板６０により形成される被収容物収容空間に収容される被収容物を前後方向の複数箇所で支持する複数の支持板８０−８８と、四つの側板３０，４０，５０，６０に被さり被収容物収容空間を閉じる上蓋１００と、を備え、各支持板８０−８８が、被収容物を抱持する凹部を有し、上下方向に分割された複数の分割板を積み上げられて構成され、四つの側板３０，４０，５０，６０のうちの少なくとも対向一対の側板がそれぞれピン軸３６，４６により下金枠２０に連結され、かつ、四つの側板３０，４０，５０，６０が隣り合う側板の上部同士を丸落とし３８，４８により連結され、四つのコーナー金具２２の上端面までの下金枠２０内の空間が、四つの側板３０，４０，５０，６０と複数の支持板８０−８８を重ねて収容する容積を有し、下金枠２０内の空間に四つの側板３０，４０，５０，６０と複数の支持板８０−８８を重ねた状態で上蓋１００が下金枠２０に被される構成である。
【００８１】
この構成によれば、下金枠２０内の空間の深さを適切に設定することで、分割板および四つの側板３０，４０，５０，６０を取り外し、これらを下金枠２０内に水平に収容することができ、上蓋１００を被せたときの全高さを側板３０，４０，５０，６０の下金枠２０から上に出ている部分の高さだけ低くすることができる。したがって、被収容物をコンテナから取り出した後、下金枠２０から分割板や側板３０，４０，５０，６０の取り外しが容易で、かつ、取り外した側板３０，４０，５０，６０や分割板を内部に仕舞い込むことが可能で、コンテナ高さが輸送時の半分以下で安定した形態とすることができ、輸送効率を上げることができる。
【００８２】
以上説明したように、本考案によれば、搬送先においてコンテナを搬送元に送り返す際に、下金枠から分割板や側板の取り外しが容易で、かつ、取り外した側板や分割板を仕舞い込んだ形態を、コンテナ高さが輸送時の半分以下で安定した形態とすることができ、輸送効率を上げることができるという効果を有し、組み立て式コンテナ全般において優れている。
【符号の説明】
【００８３】
１  組み立て式コンテナ
１０  パレット
２０  下金枠
２２  コーナー金具
２３  第１の連結金枠
２３ｃ  段差面
２４  第２の連結金枠
２４ｃ  段差面
３０  前側板
３１  下側部材
３２  上側部材
３３  蝶番
３４，３５  縦ガイド（第１のガイド）
３６  ピン軸（下部連結手段）
３８  丸落とし（上部連結手段）
４０  後側板
４１  下側部材
４２  上側部材
４３  蝶番
４４，４５  縦ガイド（第１のガイド）
４６  ピン軸（下部連結手段）
４８  丸落とし（上部連結手段）
５０  右側板
５１  縦ガイド（第２のガイド）
６０  左側板
６１  縦ガイド（第２のガイド）
７０  中仕切り枠
７３  縦ガイド（第３のガイド）
８１，８２，８３，８４，８５，８６，８７，８８  支持板
１００  上蓋
【図１】
0003210364.tif 000003
【図２】
0003210364.tif 000004
【図３】
0003210364.tif 000005
【図４】
0003210364.tif 000006
【図５】
0003210364.tif 000007
【図６】
0003210364.tif 000008
【図７】
0003210364.tif 000009
【図８】
0003210364.tif 000010
【図９】
0003210364.tif 000011
【図１０】
0003210364.tif 000012
【図１１】
0003210364.tif 000013
【図１２】
0003210364.tif 000014
【図１３】
0003210364.tif 000015
【図１４】
0003210364.tif 000016
【図１５】
0003210364.tif 000017
【図１６】
0003210364.tif 000018